(57)【要約】【課題】ソーラーセル付電子時計は、文字板側にソーラーセルを配置するための断面的スペースおよび、ソーラーセルと基礎ムーブメント側の回路との導通のために配置するソーラーセル接続バネのスペースのために、大きく、厚くなってしまい、特に女性用の小さな時計では、デザイン上大きな問題であり解決が強く望まれていた。【解決手段】基礎ムーブメント側の表輪列の下ホゾ部をソーラーセル受板と断面的に重ねることと、ソーラーセル受板の係合部が地板に設けた被係合部に係合させたとき、基礎ムーブメントの他の部材で壁部を設け、ソーラーセル受板の係合部が地板の被係合部を乗り越え内側に落ち込んでしまわないようにするとともに、オシドリとカンヌキ本体部とカンヌキに一体に形成されたカンヌキ戻しバネ部に囲まれた空間にソーラーセル接続バネを配置したことにより、薄型・小型のソーラーセル付電子時計を実現した。【選択図】      図１
2004239714.tif 000002
【特許請求の範囲】
【請求項１】
ソーラーセルと、ソーラーセル受板とを有し、前記ソーラーセルを前記ソーラーセル受板に固着することによりソーラーセルブロックを形成し、該ソーラーセルブロックを基礎ムーブメントに組み込むことによって完成ムーブメントを構成するソーラーセル付電子時計において、前記基礎ムーブメントの基部を構成する地板の文字板側に、時計の表輪列の車のホゾが挿入される前記地板の軸受けのホゾ穴の外周部に段差部を設け、該段差部に前記ソーラーセル受板が収納されるようにソーラーセル受板を形成し、前記ソーラーセルブロックを前記基礎ムーブメントに組み込んだ時に前記ソーラーセル受板と前記ホゾが断面的に重なるようしたことを特徴とするソーラーセル付電子時計。
【請求項２】
ソーラーセルと、ソーラーセル受板とを有し、前記ソーラーセルを前記ソーラーセル受板に固着することによりソーラーセルブロックを形成し、該ソーラーセルブロックを基礎ムーブメントに組み込むことによって完成ムーブメントを構成するソーラーセル付電子時計において、前記ソーラーセル受板に係合部を設け、該係合部と係合して前記ソーラーセル受板を固定するための被係合部を前記基礎ムーブメントの基部を構成する地板に設けると共に、前記基礎ムーブメントの他の部材に壁部を設け、該壁部によりソーラーセル受板の係合部が前記地板の被係合部を乗り越え前記基礎ムーブメントの内側に落ち込むことを防止した事を特徴とするソーラーセル付電子時計。
【請求項３】
オシドリと、該オシドリに節度力を発生させるカンヌキ戻しバネが本体部と一体に形成されたカンヌキとを有し、前記カンヌキ戻しバネを前記カンヌキの回転中心側から前記オシドリの背面側に配置すると共に、ソーラーセル接続バネを前記オシドリと前記カンヌキの本体部と前記カンヌキ戻しバネ部で囲まれた空間領域に配置したことを特徴とする請求項１または請求項２記載のソーラーセル付電子時計。
【発明の詳細な説明】
【０００１】
【発明の属する技術分野】
本発明はソーラーセルを備えたソーラーセル付電子時計の構造、特に薄型小型のソーラーセル付電子時計の構造に関する。
【０００２】
【従来の技術】
近年、従来の一次電池を搭載した電子時計に代わって太陽電池（ソーラーセル）により発電したエネルギーを二次電池に充電して電源として使用するするソーラー時計が商品化されている。この場合、従来の一次電池を使用したムーブメントを基礎ムーブメントとし、この基礎ムーブメントの文字板側にソーラーセルを積み重ねる構造としている（例えば、特許文献１参照。）。
【０００３】
【特許文献１】
国際公開第００／００３３１０号パンフレット（第８−９頁、第１図、第２図）
【０００４】
図９〜図１１は、従来のソーラーセル付電子時計の構造を示す断面図及び平面図で、以下図面を用いて従来技術を説明する。なお、同一の構成には同一の番号を付して説明を省略する。
【０００５】
図９は、従来のソーラーセル付電子時計の断面図である。２６は地板、７は輪列受であり、該地板２６、該輪列受７に設けられたホゾ穴２６Ａ、２６Ｂ、２６Ｃ、７Ａ、７Ｂ、７Ｃ等により、ローター８、四番車９、三番車１０、中心車１１を係合保持している。１４は回路基板、１５は回路支持板で、前記輪列受７と地板２６とは、ねじ１６により回路基板１４を介して回路支持板１５を地板２６にねじ固定することにより一体となり、基礎ムーブメント２１が構成されている。
【０００６】
４はソーラーセル、２３はソーラーセル受板、２５は両面テープ等の固着部材であり、前記ソーラーセル４と前記ソーラーセル受板２３とは前記固着部材２５によって固着され、ソーラーセルブロック２２を形成する。そして、該ソーラーセルブロック２２を前記基礎ムーブメント２１の文字板２０側にそのまま積層するように組み込むことにより、完成ムーブメント３０が構成されている。
【０００７】
図１０は、従来のソーラーセル付電子時計の部分断面図で、図９におけるソーラーセルブロック２２の固定構造を示している。前記ソーラーセルブロック２２の前記基礎ムーブメント２１固定は、前述のように前記ソーラーセル４を前記ソーラーセル受板２３に前記固着部材２５によって固着することによりソーラーセルブロック２２を形成した後、ソーラーセル受け板２３に設けた可撓性を有する係合部２３ａを地板２６の外周部側面に設けた被係合部２６ａに係合させることにより行われる。２６ｂは地板２６に設けた壁で、ソーラーセル受板２３の係合部２３ａが地板２６の被係合部２６ａの内側に無制限に入り込まないように設けたもので、ストッパーの働きをしている。
【０００８】
図１１は、従来の他の実施例を示すソーラーセル付電子時計の部分平面図である。３２は前記ソーラーセルブロックを保持する為のソーラーセルブロック支持枠で、図１０で示した地板２６の被係合部２６ａを、基礎ムーブメント３１を構成する他の部材で構成した場合を示している。この実施例では、ソーラーセルブロック支持枠３２は前記基礎ムーブメント３１より一回り大きく、その外周から張り出しており、この張り出し部分に、文字板側に配置されたソーラーセル４の図示されていない電極と回路基板３４とを導通するためのソーラーセル接続バネ２９が２ヶ所に配置されている。
【０００９】
【発明が解決しようとする課題】
図９ようなソーラーセルブロック２２を基礎ムーブメント２１の文字板２０側にそのまま積層する構造では、完成ムーブメント３０の総厚は基礎ムーブメント２１の厚さにソーラーセルブロック２２の厚さを合計した厚さとなってしまい、通常の一次電池の時計に比べ厚くなってしまうという問題があった。
【００１０】
また、図１０のように、ソーラーセル受板２３の係合部２３ａが地板２６の被係合部２６ａの内側に無制限に入り込まないように地板２６の壁２６ｂを設けるためには、肉厚部が必要であり、被係合部２６ａの内側ぎりぎりまで他部品を配置する事は出来なかった。このことは男持ちの時計のように比較的スペースに余裕のある場合は大きな問題ではないが、女性用の小さな時計では非常に大きな問題となっていた。
【００１１】
さらに、図１１のようにソーラーセル接続バネ２９の配置に当たっては、基礎ムーブメント２１の中に配置できればスペースの問題はないが、ソーラーセル付電子時計を女性用の小さな時計に応用しようとすると問題が生じていた。すなわち、もともと女性用の小さな時計では狭いスペースにいかに合理的に部品を配置し、小さな時計に作り上げるかという観点で設計している為、ソーラーセル接続バネをその中に取り込むことは非常に困難なことであり、また無理に配置すると無駄なスペースができ全体が膨らんでしまうことになる。このため、女性用のソーラーセル付電子時計では、基礎ムーブメント３１の外周側のソーラーセルブロック支持枠にソーラーセル接続バネを配置せざるを得ず、ソーラーセル接続バネ部がはみ出るような形で設定せざるを得ないことが多いという欠点を有していた。
【００１２】
以上のように、ソーラーセル付電子時計は、一次電池を用いた電子時計に比べ、電池寿命による電池の交換を必要としない面では大変便利であるが、文字板側にソーラーセルを配置するための断面的スペースや、ソーラーセルと基礎ムーブメント側の回路との電気的導通を行うためのソーラーセル接続バネのスペースが必要であり、一次電池を用いた電子時計に比べ大きく、厚くなってしまい問題であった。特に女性用の小さな時計では、デザイン上大きな問題であり解決が強く望まれていた。
【００１３】
本発明の目的は上記欠点を解決し、薄型小型のソーラーセル付電子時計を提供することにある。
【００１４】
【課題を解決するための手段】
上記目的を達成するため、本発明は、ソーラーセルと、ソーラーセル受板とを有し、前記ソーラーセルを前記ソーラーセル受板に固着することによりソーラーセルブロックを形成し、該ソーラーセルブロックを基礎ムーブメントに組み込むことによって完成ムーブメントを構成するソーラーセル付電子時計において、前記基礎ムーブメントの基部を構成する地板の文字板側に、時計の表輪列の車のホゾが挿入される前記地板のホゾ穴の外周部に段差部を設け、該段差部に前記ソーラーセル受板が収納されるようにソーラーセル受板を形成し、前記ソーラーセルブロックを前記基礎ムーブメントに組み込んだ時に前記ソーラーセル受板と前記ホゾが断面的に重なるようしたことを特徴とする。
【００１５】
前記地板のホゾ穴の外周部に段差部を設け、該段差部に前記ソーラーセル受板が収納されるようにソーラーセル受板を形成することにより、ソーラーセルブロックの厚さの約半分を占めるソーラーセル受板と固着部材の厚さ部分を、基礎ムーブメントの厚さの基準となる表輪列と断面的に重ねられるため、完成ムーブメントの厚さを薄くすることができる。
【００１６】
また、ソーラーセルと、ソーラーセル受板とを有し、前記ソーラーセルを前記ソーラーセル受板に固着することによりソーラーセルブロックを形成し、該ソーラーセルブロックを基礎ムーブメントに組み込むことによって完成ムーブメントを構成するソーラーセル付電子時計において、前記ソーラーセル受板に係合部を設け、該係合部と係合して前記ソーラーセル受板を固定するための被係合部を前記基礎ムーブメントの基部を構成する地板に設けると共に、前記基礎ムーブメントの他の部材に壁部を設け、該壁部によりソーラーセル受板の係合部が前記地板の被係合部を乗り越え前記基礎ムーブメントの内側に落ち込むことを防止した事を特徴とする。
【００１７】
地板以外の基礎ムーブメントの他の部材に壁部を設け、該壁部によりソーラーセル受板の係合部が前記地板の被係合部を乗り越え、前記基礎ムーブメントの内側に落ち込むことを防止できるため、前記ソーラーセル受板の係合部のバネ性を確保するために前記地板の被係合部が地板の最外周に突出する形で形成しても組込み時に問題とならないため、ソーラーセルブロックを係合するための地板側の被係合部のスペースを最小に設定することができ、より小型のソーラーセル付電子時計を実現することができる。
【００１８】
また、オシドリと、該オシドリに節度力を発生させるカンヌキ戻しバネが本体部と一体に形成されたカンヌキとを有し、前記カンヌキ戻しバネを前記カンヌキの回転中心側から前記オシドリの背面側に配置すると共に、ソーラーセル接続バネを前記オシドリと前記カンヌキの本体部と前記カンヌキ戻しバネ部で囲まれた空間領域に配置したことを特徴とする。
【００１９】
オシドリとカンヌキの本体部とカンヌキ戻しバネ部で囲まれた空間領域を有効利用することにより、ソーラーセル接続バネの配置を基礎ムーブメントの外側に配置することなく、基礎ムーブメントの内側に配置が可能となり、より小スペースの配置が可能となり、より小型の時計を実現することができる。
【００２０】
【発明の実施の形態】
以下、図面に基づき本発明の一実施形態を説明する。
図１は本発明の一実施形態を表すソーラーセル付電子時計の断面図、図７は図１の地板６の平面図で、文字板側から見た平面図を示し、図８は図１のソーラーセル受板３の平面図で、文字板側から見た平面図を示している。なお、従来技術と同一の構成部品には同一の番号を付して説明を省略する。
【００２１】
図１において、６は地板、７は輪列受であり、前記地板６と前記輪列受７に設けられたホゾ穴６Ａ、６Ｂ、６Ｃ、７Ａ、７Ｂ、７Ｃ等により、表輪列の車であるローター８、四番車９、三番車１０、中心車１１を係合保持している。１４は回路基板、１５は回路支持板で、前記輪列受７と地板６とは、ねじ１６により回路基板１４を介して回路支持板１５を地板６にねじ固定することにより一体となり、基礎ムーブメント１が構成されている。
【００２２】
４はソーラーセル、３はソーラーセル受板、５は両面テープ等の固着部材であり、前記ソーラーセル４と前記ソーラーセル受板３とは前記固着部材５によって固着され、ソーラーセルブロック２を形成する。そして、該ソーラーセルブロック２を前記基礎ムーブメント１の文字板２０側にそのまま積層するように組み込むことにより、完成ムーブメント１００が構成されている。
【００２３】
６ｄは、時計のローター８、四番車９、三番車１０、中心車１１等の表輪列のホゾ８ａ、９ａ、１０ａ等が挿入される前記地板６のホゾ穴６Ａ、６Ｂ、６Ｃ等の外周部に設けた段差部で、図１、図７のように前記基礎ムーブメント１の基部を構成する地板６の文字板２０側に設けられており、図７のハッチング部が同一平面の凹部となるように構成されている。なお、本実施例ではホゾ穴６Ａ、６Ｂ、６Ｃ等を地板６に直接開けた例を示したが、もちろん穴石を使用しても良く、この場合前記段差部は穴石の外周部に設ければ良い。
【００２４】
前記ソーラーセル受板３には、図１、図８のように前記地板６の前記ホゾ穴６Ａ、６Ｂ、６Ｃと対応する外周部に穴部３ａ、３ｂ等が形成され、図７のハッチング部である同一平面の凹部に前記ソーラーセル受板を積層可能となっており、前記ソーラーセル受板３が前記段差部６ｄに収納されるように形成されている。そして、前記ソーラーセルブロック２を前記基礎ムーブメント１に組み込んだ時に、前記ソーラーセル受板３と前記ホゾ８ａ、９ａが断面的に重なるように配置した。このことにより、基礎ムーブメント１のホゾ８ａ、９ａとソーラーセルブロック２の厚さを断面的に重ねることが可能となり、完成ムーブメントの厚さを極力薄くできるように構成されている。
【００２５】
図２は本発明の一実施形態を表すソーラーセル付電子時計の部分断面図で、図１のソーラーセルブロック２の固定構造を示している。１２はステータ−で、基礎ムーブメントの基部を構成する前記地板６の外周側までステーター１２と輪列受７と回路基板１４と回路支持板１５とが積み重ねて配置されている。６ａは、前記ソーラーセル受板３と係合させるために前記地板６に設けた被係合部で、ステーター１２の外側に配置されており、ソーラーセル受板３の可撓性を有する係合部３ａが組込み時に入りやすいように斜面が設けられている。
【００２６】
地板６の被係合部６ａの内側６ｂにはステーター１２が干渉しないよう隙を持って配置されている。このとき輪列受７の壁７ａをソーラーセル受板３の係合部３ａの内側に接近させて配置し、該係合部３ａが地板６の被係合部６ａを乗り越えて内側６ｂに落ち込んでしまうのを防いでいる。このとき被係合部６の内側の壁６ｂと輪列受７の壁７ａの平面隙Ｔは少なくともソーラーセル受板３の板厚ｔよりも少なく設定してある。このことによりソーラーセルブロック２を組込む時に、ソーラーセル受板３の係合部３ａの掛かりを確実にするため、例え外周側からソーラーセル受板３の係合部３ａを押したとしても、該係合部３ａが地板６の被係合部６ａの内側６ｂに落ち込んでしまうのを防止することができる。
【００２７】
図３は図１のソーラーセルブロック２の固定構造に関する第２の実施形態を示すソーラーセル付電子時計の部分断面図である。１３はコイル巻芯で、地板６の外周に設けられた被係合部６ａは、該被係合部６ａの内側６ｂに配設されたステーター１２とコイル巻芯１３と隙を持って配置されている。ソーラーセル受板３に設けられた可撓性を有する係合部３ａは基礎ムーブメントの基部を構成する地板６の被係合部６ａに係合させることにより保持され、固定されている。本実施例では、コイル巻芯１３の上に重ねて配置された輪列受７の壁７ａをソーラーセル受板３の係合部３ａの内側に配置した。このことにより、該係合部３ａが地板６の被係合部６ａを乗り越えて内側に落ち込んでしまうのを防止することができる。このとき被係合部６の内側の壁６ｂと輪列受７の壁７ａの平面隙は少なくともソーラーセル受板３の板厚ｔよりも少なく設定してある。
【００２８】
図４は本発明の一実施形態を表すソーラーセル付電子時計の部分平面図、図５は図４のソーラーセル付電子時計の部分断面図で、カンヌキの本体部と戻しバネ部とソーラー接続バネの断面の位置関係を示し、図６は図４のソーラーセル付電子時計を別の角度から見た時の部分断面図で、カンヌキの回転中心とソーラー接続バネの断面の位置関係を示している。
【００２９】
図４、図５、図６において、１７は回転中心Ｓで回転可能に配置されたオシドリ、１８は回転中心Ｌで回転可能に配置されたカンヌキで、該カンヌキ１８の本体部１８ａは前記オシドリ１７の先端部１７ａで係合している。このとき前記カンヌキ１８の戻しバネ部１８ｂは前記オシドリ１７の背面側１７ｂに配置され、戻しバネ力によりカンヌキ１８の本体部１８ａを前記オシドリ１７の先端部１７ａに強く押し付け、オシドリ１７の回転時に節度力を持って回転するようになっており、前記オシドリ１７の回転により前記カンヌキ１８は回転中心Ｌを中心に連動回転する。
【００３０】
１９はソーラーセル接続バネで、前記オシドリ１７と前記カンヌキ１８の本体部１８ａと前記カンヌキ１８の戻しバネ部１８ｂで囲まれた空間領域に配置され、ソーラーセル４の図示されていない電極と回路基板１４との導通を取っている。前記ソーラーセル接続バネ１９が配置される空間は、カンヌキ１８の回転中心Ｌに比較的近く、前記オシドリ１７の回転によって生じるカンヌキ１８の本体部１８ａと戻しバネ部１８ｂの移動量は共に少ない。従って、前記オシドリ１７と前記カンヌキ１８の本体部１８ａと前記カンヌキ１８の戻しバネ部１８ｂで囲まれた空間領域にソーラーセル接続バネ１９を配置することが可能となり、特別広いスペースがなくても配置することが可能となった。
【００３１】
【発明の効果】
以上の如く本発明によるソーラーセル付電子時計によれば、ソーラーセル受板と固着部材の厚さ部分を、基礎ムーブメントの厚さの基準となる表輪列と断面的に重ねられるため、完成ムーブメントの厚さを薄くすることができる。地板以外の基礎ムーブメントの他の部材に壁部を設けソーラーセル受板の係合部が前記地板の被係合部を乗り越えを防止することができるため、地板の被係合部を最少に設定できる。さらに、ソーラーセル接続バネをオシドリとカンヌキの本体部とカンヌキ戻しバネ部で囲まれた空間領域に配置することにより非常に少スペースのソーラーセル付電子時計を提供することができる。
【図面の簡単な説明】
【図１】本発明の一実施形態を表すソーラーセル付電子時計の断面図である。
【図２】図１のソーラーセルブロック２の固定構造を示す本発明の一実施形態を示すソーラーセル付電子時計の部分断面図である。
【図３】図１のソーラーセルブロック２の固定構造を示す本発明の第２の実施形態を示すソーラーセル付電子時計の部分断面図である。
【図４】図４は本発明の一実施形態を表すソーラーセル付電子時計の部分平面図である。
【図５】図４のソーラーセル付電子時計の部分断面図である。
【図６】図４の他の方向のソーラーセル付電子時計の部分断面図である。
【図７】図１の地板６の平面である。
【図８】図１のソーラーセル受板３の平面図である。
【図９】従来のソーラーセル付電子時計の断面図である。
【図１０】図９のソーラーセルブロック２２の固定構造を示す従来のソーラーセル付電子時計の断面図である。
【図１１】従来の他の実施例を示すソーラーセル付電子時計の部分平面図である。
【符号の説明】
１、２１、３１  基礎ムーブメント
２、２２  ソーラーセルブロック
３、２３  ソーラーセル受板
３ａ、２３ａ  係合部
４  ソーラーセル
５、２５  固着部材
６、２６  地板
６Ａ、６Ｂ、６Ｃ、７Ａ、７Ｂ、７Ｃ  ホゾ穴
２６Ａ、２６Ｂ、２６Ｃ  ホゾ穴
６ａ、２６ａ  被係合部
２６ｂ  壁
６ｂ  内側の壁
６ｄ  段差部
７  輪列受
７ａ  壁
８  ローター
９  四番車
１０  三番車
８ａ、９ａ、１０ａ  ホゾ
１１  中心車
１２  ステーター
１３  コイル巻芯
１４  回路基板
１５  回路支持板
１６  ねじ
１７  オシドリ
１７ａ  先端部
１７ｂ  背面側
１８  カンヌキ
１８ａ  本体部
１８ｂ  戻しバネ部
１９、２９  ソーラーセル接続バネ
２０  文字板
３０、１００  完成ムーブメント
３２    ソーラーセルブロック支持枠
【図１】
2004239714.tif 000003
【図２】
2004239714.tif 000004
【図３】
2004239714.tif 000005
【図４】
2004239714.tif 000006
【図５】
2004239714.tif 000007
【図６】
2004239714.tif 000008
【図７】
2004239714.tif 000009
【図８】
2004239714.tif 000010
【図９】
2004239714.tif 000011
【図１０】
2004239714.tif 000012
【図１１】
2004239714.tif 000013